(57)【要約】【課題】身体の一部に装着することにより、多種多様な健康増進効果を期待することができる装身具を提供する。【解決手段】装身具１００は、球状体１１の表面に漢方薬成分をコーティングして形成された漢方薬成分層１２を有する複数の効能体１０と、効能体１０に設けられた貫通孔１３に挿通することにより複数の効能体１０を数珠状に連結する伸縮性の芯材２０と、を備えている。効能体１０の表面には、当該装身具１００を構成する漢方薬成分層１２に含まれる漢方薬成分（高麗人参）を意味する文字１４及び絵柄１５が表示されている。【選択図】図１
0003199798.tif 000002
【実用新案登録請求の範囲】
【請求項１】
球状体若しくは塊状体の表面に漢方薬成分若しくは温泉成分の少なくとも一方をコーティングして形成された複数の効能体と、前記効能体に設けられた貫通孔に挿通することにより複数の前記効能体を数珠状に連結する芯材と、を備えたことを特徴とする装身具。
【請求項２】
球状体若しくは塊状体に漢方薬成分若しくは温泉成分の少なくとも一方を含有させて形成された複数の効能体と、前記効能体に設けられた貫通孔に挿通することにより複数の前記効能体を数珠状に連結する芯材と、を備えたことを特徴とする装身具。
【請求項３】
身体の一部に巻回可能なバンド材と、前記バンド材の内周面若しくは外周面の少なくとも一方に形成された複数の凸部若しくは凹部と、前記凸部に含浸させ若しくは前記凹部に埋設させた漢方薬成分若しくは温泉成分の少なくとも一方と、を備えたことを特徴とする装身具。
【請求項４】
前記漢方薬成分が、高麗人参、田七人参、アメリカ人参、冬虫夏草のうちの少なくとも一つから抽出した薬効成分を含むものである請求項１〜３のいずれかに記載の装身具。
【請求項５】
前記球状体若しくは前記球状体の材質が、天然植物材、天然石材、合成樹脂材、セラミックス材のいずれかである請求項１、２、４のいずれかに記載の装身具。
【請求項６】
前記バンド材の材質が、天然植物材、天然石材、合成樹脂材、セラミックス材のいずれかである請求項３または４記載の装身具。
【請求項７】
前記効能体に、当該装身具に含まれる前記漢方薬成分若しくは前記温泉成分を意味する文字若しくは絵柄の少なくとも一方を表示した請求項１、２、４、５のいずれかに記載の装身具。
【請求項８】
前記バンド材に、当該装身具に含まれる前記漢方薬成分若しくは前記温泉成分を意味する文字若しくは絵柄の少なくとも一方を表示した請求項３、４、６のいずれかに記載の装身具。
【考案の詳細な説明】
【技術分野】
【０００１】
本考案は、首、手首あるいは足首などの身体の一部に装着する装身具に関する。
【背景技術】
【０００２】
首、手首あるいは足首などの身体の一部に装着して日常生活を過ごすことにより、所定の健康増進効果を期待できるブレスレッド、首飾り、アンクレットなどの装身具については、従来、様々な形状、デザインのものが提案されているが、本考案に関連する装身具として、例えば、特許文献１に記載された「健康装身具」あるいは特許文献２に記載された「装身具」などがある。
【０００３】
特許文献１に記載された「健康装身具」は、人体の首、手首などに装着する装身具基体を多数の連結部材で連鎖状に連結させたネックレスまたはブレスレットなどの装身具において、シリコーンなどの液化樹脂と麦飯石、蛇紋岩、角閃石、褐廉石、沸石、蛍石、フェルソング石などの多種類の鉱石を粉砕した微粉末鉱石とスギゴケ、ゼニゴケなどのコケ類植物を乾燥させ粉末状とした微粉末植物とを混和させて被覆用主剤とし、被覆用主剤で永久磁石を被抱させた後に加熱処理して多数のチップ状の基剤を形成し、基剤を装身具基体の人体接触面に形成された凹陥部へ埋設させたり、基剤を装身具の人体接触面に露出する間隙部へ埋設させたりして形成したものである。
【０００４】
特許文献２に記載された「装身具」は、半球状多孔質セラミック素地と、平面部分にフランジ部を設けた半球状多孔質セラミック素地とを、この平面部分のフランジ部に他方の半球体の平面部分を突き合わせるようにして一体化されており、一体化した多孔質セラミック素地を燒結して装身用玉を得た上、この装身用玉を飾りとして用いたものである。
【先行技術文献】
【特許文献】
【０００５】
【特許文献１】登録実用新案第３０２１２２５号公報
【特許文献２】登録室用新案第３０４８７０３号公報
【考案の概要】
【考案が解決しようとする課題】
【０００６】
特許文献１に記載された「健康装身具」あるいは特許文献２に記載された「装身具」を身に付けると、一定の健康増進効果を期待することができるのであるが、近年の健康ブームの高まりにより、健康増進効果に対する要望も多様化し、前述した「健康装身具」や「装身具」などでは、これらの要望に対応できない面があるのが実状である。
【０００７】
そこで、本考案が解決しようとする課題は、身体の一部に装着することにより、多種多様な健康増進効果を期待することができる装身具を提供することにある。
【課題を解決するための手段】
【０００８】
本考案に係る第１の装身具は、球状体若しくは塊状体の表面に漢方薬成分若しくは温泉成分の少なくとも一方をコーティングして形成された複数の効能体と、前記効能体に設けられた貫通孔に挿通することにより複数の前記効能体を数珠状に連結する芯材と、を備えたことを特徴とする。
【０００９】
次に、本考案に係る第２の装身具は、球状体若しくは塊状体に漢方薬成分若しくは温泉成分の少なくとも一方を含有させて形成された複数の効能体と、前記効能体に設けられた貫通孔に挿通することにより複数の前記効能体を数珠状に連結する芯材と、を備えたことを特徴とする。
【００１０】
次に、本考案に係る第３の装身具は、身体の一部に巻回可能なバンド材と、前記バンド材の内周面若しくは外周面の少なくとも一方に形成された複数の凸部若しくは凹部と、前記凸部に含浸させ若しくは前記凹部に埋設させた漢方薬成分若しくは温泉成分の少なくとも一方と、を備えたことを特徴とする。
【００１１】
ここで、前記漢方成分として、高麗人参、田七人参、アメリカ人参、冬虫夏草のうちの少なくとも一つから抽出した薬効成分を含むものを使用することができる。
【００１２】
また、前記球状体、前記球状体若しくは前記バンド材の材質は、天然植物材、天然石材、合成樹脂材、セラミックス材のいずれかとすることができる。
【００１３】
さらに、前記球状体、前記球状体若しくは前記バンド材に、当該装身具に含まれる前記漢方薬成分若しくは前記温泉成分を意味する文字若しくは絵柄の少なくとも一方を表示することができる。
【考案の効果】
【００１４】
本考案により、身体の一部に装着することによって多種多様な健康増進効果を期待することができる装身具を提供することができる。
【図面の簡単な説明】
【００１５】
【図１】本考案の第１実施形態である装身具を示す斜視図である。
【図２】本考案の第２実施形態である装身具を示す斜視図である。
【図３】図２中の矢線Ａ方向から見た一部拡大図である。
【考案を実施するための形態】
【００１６】
まず、図１に基づいて、本考案の第１実施形態である装身具１００について説明する。図１に示すように、本考案の第１実施形態である装身具１００は、球状体１１の表面に漢方薬成分をコーティングして形成された漢方薬成分層１２を有する複数の効能体１０と、効能体１０に設けられた貫通孔１３に挿通することにより複数の効能体１０を数珠状に連結する伸縮性の芯材２０と、を備えている。効能体１０の表面には、当該装身具１００を構成する漢方薬成分層１２に含まれる漢方薬成分（高麗人参）を意味する文字１４及び絵柄１５が表示されている。
【００１７】
球状体１１は木材で形成されている。漢方薬成分層１２は、漢方薬である高麗人参、冬虫夏草の生薬成分を粉末にしたものに接着剤を混ぜ、これを球状体１１の表面にコーティングすることによって形成されている。効能体１０のサイズ、個数及び芯材２０の長さなどは限定しないので、これらを適宜、設定することにより、装身具１００は、首に巻いたり、手首や足首に巻いたりできるサイズにして使用することができる。
【００１８】
装身具１００を身体の一部に装着することにより、漢方薬成分層１２に含まれる高麗人参、冬虫夏草の薬効に基づく健康増進効果を期待することができる。また、効能体１０の表面には、装身具１００に含まれる漢方薬成分（球状体１１の表面に形成された漢方薬成分層１２に含まれる漢方薬成分の一つである高麗人参）を意味する文字１４及び絵柄１５が表示されている。従って、装身具１００を身体に装着しようとする者が文字１４や絵柄１５を見ることにより、事前に装身具１００の効能やアレルギーの有無を確認することができる。
【００１９】
なお、漢方薬成分層１２を形成する成分は高麗人参、冬虫夏草に限定しないので、田七人参やアメリカ人参などを使用することもできる。また、漢方薬成分の代わりに、温泉成分を球状体１１の表面にコーティングして温泉成分層を形成することもできるほか、漢方薬成分と温泉成分との混合成分を球状体１１の表面にコーティングすることもできる。
【００２０】
装身具１００の製作方法は特に限定しないが、本実施形態では、球状体１１の表面に漢方薬成分をコーティングして漢方薬成分層１２を形成して効能体１０を完成させた後、貫通孔１３を穿孔している。このような工程で製作すれば、貫通孔１３の内周面は何らコーティングされていない状態となり、この内周面から、薬効成分が放出される。また、貫通孔１３の内周面の面積は球状体１１の表面積に比べて小さいので、薬効成分の放出速度が抑制されることとなり、薬効成分の効能期間を延長することができる。
【００２１】
なお、球状体１１の材質は木材に限定しないので、木材以外の天然植物材、天然石材、合成樹脂材あるいはセラミックス材などを使用することもできる。また、球状体１１のほか、不定形状の塊状体を使用することもできる。
【００２２】
本実施形態の装身具１００においては、球状体１１の表面に漢方薬成分をコーティングすることにより漢方薬成分層１２を有する効能体１０を形成しているが、これに限定するものではないので、球状体若しくは塊状体に漢方薬成分若しくは温泉成分の少なくとも一方を含有させて複数の効能体を形成し、これらの効能体に設けられた貫通孔に芯材を挿通することによって装身具を形成することもできる。
【００２３】
次に、図２，図３に基づいて、本考案の第２実施形態である装身具２００について説明する。本実施形態の装身具２００は、身体の一部に巻回可能なバンド材３０と、バンド材３０の内周面３１に形成された複数の凸部５０と、これらの凸部５０に含浸させた漢方薬成分と、を備えている。
【００２４】
前記漢方成分は、高麗人参から抽出した薬効成分を含んでいるが、これに限定するものではない。バンド材３０は、伸縮性及び吸湿性を有する合成樹脂材で形成されているがこれに限定するものではない。バンド材３０の外周面３２には、装身具２００に含まれる漢方薬成分（凸部５０に含浸させた高麗人参成分）を意味する文字３３及び絵柄３４が表示されている。
【００２５】
装身具２００を身体の一部に装着すること（例えば、手首に巻回すること）により、凸部５０に含まれる高麗人参成分の薬効に基づく健康増進効果を期待することができる。また、バンド材３０の内周面３１に設けられた複数の凸部５０が皮膚を押圧することにより指圧に似た効果を得ることができる。
【００２６】
さらに、バンド材３０の外周面３２には、装身具２００に含まれる漢方薬成分（凸部５０に含まれる漢方薬成分の一つである高麗人参）を意味する文字３３及び絵柄３４が表示されている。従って、装身具２００を手首に巻回しようとする者が、使用前に文字３３や絵柄３４を見ることにより、装身具２００の効能やアレルギーの有無を確認することができる。
【００２７】
本実施形態の装身具２００においては、バンド材３０の内周面３１に形成された複数の凸部５０に漢方薬成分を含浸させているが、これに限定しないので、バンド材３０の内周面３１や外周面３２に設けた複数の凹部に漢方薬成分や温泉成分を埋設することによって装身具を形成することもできる。
【００２８】
なお、図１〜図３に基づいて説明した装身具１００，２００は本考案の装身具を例示するものであり、本考案の装身具は、前述した装身具１００，２００に限定されない。
【産業上の利用可能性】
【００２９】
本考案の装身具は、健康機器産業の分野において広く利用することができる。
【符号の説明】
【００３０】
１０  効能体
１１  球状体
１２  漢方薬成分層
１３  貫通孔
１４，３３  文字
１５，３４  絵柄
２０  芯材
３０  バンド材
３１  内周面
３２  外周面
５０  凸部
１００，２００  装身具
【図１】
0003199798.tif 000003
【図２】
0003199798.tif 000004
【図３】
0003199798.tif 000005